(57)【要約】【課題】  学術団体の研究集会における論文の投票処理を補助する学会運営支援システムを提供する。【解決手段】  研究集会の参加者を識別する参加者識別情報が記憶され、当該参加者が携行するＩＣタグと、参加者識別情報、当該参加者に関する参加者情報、論文を識別する論文識別情報、当該論文に関する論文情報を記憶するＤＢ５０と、ＩＣタグから前記参加者識別情報を読み取るＩＣタグＲ／Ｗ１３と、ＩＣタグを携行する参加者が、所定の論文群の中から一または複数の論文を選択して投票した論文に対応する論文識別情報と、当該参加者の参加者識別情報と、を対応づける投票情報をＤＢ５０に記憶させる論文投票管理装置１５と、論文識別情報に基づいて投票情報を論文毎に蓄積することにより第一投票集計情報を作成し、第一投票集計情報に蓄積される投票情報から、投票した参加者と関連する論文に対応する論文識別情報を含む投票情報を除く手段と、を有する学会運営支援システムにより、上記課題を解決する。【選択図】      図２
2006178806.tif 000002
【特許請求の範囲】
【請求項１】
学術団体の研究集会における論文の投票を補助する学会運営支援システムであって、
前記研究集会の参加者を識別する参加者識別情報が記憶され、前記参加者が携行する参加者識別情報記憶手段と、
前記参加者識別情報、当該参加者に関する参加者情報、論文を識別する論文識別情報、当該論文に関する論文情報を記憶する学会情報記憶手段と、
前記参加者識別情報記憶手段から前記参加者識別情報を読み取る参加者識別情報読取手段と、
参加者識別情報読取手段が、前記参加者識別情報記憶手段から前記参加者識別情報を読み取った場合に、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理手段と、
前記論文識別情報に基づいて、前記投票情報を論文毎に蓄積することにより第一投票集計情報を作成し、前記学会情報記憶手段に記憶させる第一集計手段と、
前記参加者識別情報、前記参加者情報、前記論文識別情報および前記論文情報を用いることにより、前記第一集計手段において蓄積される前記投票情報から、投票した前記参加者と関連する論文に対応する前記論文識別情報を含む前記投票情報を除く関連投票情報排除手段と、
を有することを特徴とする学会運営支援システム。
【請求項２】
学術団体の研究集会における論文の投票を補助する学会運営支援システムであって、
前記研究集会の参加者を識別する参加者識別情報が記憶され、前記参加者が携行する参加者識別情報記憶手段と、
前記参加者識別情報、当該参加者に関する参加者情報、論文を識別する論文識別情報、当該論文に関する論文情報を記憶する学会情報記憶手段と、
前記参加者識別情報記憶手段から前記参加者識別情報を読み取る参加者識別情報読取手段と、
参加者識別情報読取手段が、前記参加者識別情報記憶手段から前記参加者識別情報を読み取った場合に、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理手段と、
前記論文識別情報に基づいて、前記投票情報を論文毎に蓄積することにより第一投票集計情報を作成し、前記学会情報記憶手段に記憶させる第一集計手段と、
前記参加者識別情報、前記参加者情報、前記論文識別情報および前記論文情報を用いることにより、前記第一集計手段により作成された前記第一投票集計情報から、投票した前記参加者と関連する論文に対応する前記論文識別情報を含む前記投票情報を除く関連投票情報排除手段と、
を有することを特徴とする学会運営支援システム。
【請求項３】
所定の前記論文識別情報に対応する前記投票情報に基づいて、前記参加者識別情報を論文毎に蓄積することにより第二投票集計情報を作成し、前記学会情報記憶手段に記憶させる第二集計手段をさらに有することを特徴とする請求項１または２に記載の学会運営支援システム。
【請求項４】
前記参加者識別情報読取手段が、前記参加者識別情報記憶手段から前記参加者識別情報を読み取った場合に、
前記学会情報記憶手段は、前記研究集会に前記参加者が入場したことを記憶することを特徴とする請求項１乃至３のいずれか一項に記載の学会運営支援システム。
【請求項５】
前記参加者識別情報読取手段は、前記参加者識別情報記憶手段から前記参加者識別情報を読み取った場合に、
前記参加者識別情報記憶手段を携行する前記参加者が、前記研究集会における所定のアンケートに回答した回答結果に対応する回答情報と、当該参加者の前記参加者識別情報と、を対応づけるアンケート情報を学会情報記憶手段に記憶させるアンケート処理手段をさらに有することを特徴とする請求項１乃至４のいずれか一項に記載の学会運営支援システム。
【請求項６】
所定の前記論文識別情報に対応する前記投票情報および前記アンケート情報に基づいて、前記回答情報を論文毎に蓄積することによりアンケート集計情報を作成し、前記学会情報記憶手段に記憶させる第三集計手段をさらに有することを特徴とする請求項５に記載の学会運営支援システム。
【請求項７】
前記アンケート情報に含まれる前記参加者識別情報に対応する前記参加者に抽選の権利を発行し、前記学会情報記憶手段に前記参加者情報として前記抽選の権利を有することを記憶させる発行手段と、
前記参加者識別情報読取手段が前記参加者識別情報記憶手段を読み取った場合に、前記参加者情報として前記抽選の権利を有する前記参加者に対して抽選結果を出力する抽選処理手段と、
をさらに有することを特徴とする請求項５または６に記載の学会運営支援システム。
【請求項８】
学術団体の研究集会における論文の投票を補助し、前記研究集会の参加者を識別する参加者識別情報が記憶され、前記参加者が携行する参加者識別情報記憶手段と、前記参加者識別情報、当該参加者に関する参加者情報、論文を識別する論文識別情報、当該論文に関する論文情報を記憶する学会情報記憶手段と、を用いた学会運営支援方法であって、
前記参加者識別情報記憶手段から前記参加者識別情報を読み取る参加者識別情報読取工程と、
前記参加者識別情報読取工程の後、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理工程と、
前記論文識別情報に基づいて、前記投票情報を論文毎に蓄積することにより第一投票集計情報を作成し、前記学会情報記憶手段に記憶させる第一集計工程と、
前記参加者識別情報、前記参加者情報、前記論文識別情報および前記論文情報を用いることにより、前記第一集計工程において蓄積される前記投票情報から、投票した前記参加者と関連する論文に対応する前記論文識別情報を含む前記投票情報を除く関連投票情報排除工程と、
を有することを特徴とする学会運営支援方法。
【請求項９】
学術団体の研究集会における論文の投票を補助し、前記研究集会の参加者を識別する参加者識別情報が記憶され、前記参加者が携行する参加者識別情報記憶手段と、前記参加者識別情報、当該参加者に関する参加者情報、論文を識別する論文識別情報、当該論文に関する論文情報を記憶する学会情報記憶手段と、を用いた学会運営支援方法であって、
前記参加者識別情報記憶手段から前記参加者識別情報を読み取る参加者識別情報読取工程と、
前記参加者識別情報読取工程の後、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理工程と、
前記論文識別情報に基づいて、前記投票情報を論文毎に蓄積することにより第一投票集計情報を作成し、前記学会情報記憶手段に記憶させる第一集計工程と、
前記参加者識別情報、前記参加者情報、前記論文識別情報および前記論文情報を用いることにより、前記第一集計工程により作成された前記第一投票集計情報から、投票した前記参加者と関連する論文に対応する前記論文識別情報を含む前記投票情報を除く関連投票情報排除工程と、
を有することを特徴とする学会運営支援方法。
【請求項１０】
学術団体の研究集会における論文の投票を補助する学会運営支援システムに含まれるコンピュータを、
前記研究集会の参加者を識別する参加者識別情報が記憶され、前記参加者が携行する参加者識別情報記憶手段、
前記参加者識別情報、当該参加者に関する参加者情報、論文を識別する論文識別情報、当該論文に関する論文情報を記憶する学会情報記憶手段、
前記参加者識別情報記憶手段から前記参加者識別情報を読み取る参加者識別情報読取手段、
参加者識別情報読取手段が、前記参加者識別情報記憶手段から前記参加者識別情報を読み取った場合に、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理手段、
前記論文識別情報に基づいて、前記投票情報を論文毎に蓄積することにより第一投票集計情報を作成し、前記学会情報記憶手段に記憶させる第一集計手段、
前記参加者識別情報、前記参加者情報、前記論文識別情報および前記論文情報を用いることにより、前記第一集計手段において蓄積される前記投票情報から、投票した前記参加者と関連する論文に対応する前記論文識別情報を含む前記投票情報を除く関連投票情報排除手段、
として機能させることを特徴とする学会運営支援プログラム。
【請求項１１】
学術団体の研究集会における論文の投票を補助する学会運営支援システムに含まれるコンピュータを、
前記研究集会の参加者を識別する参加者識別情報が記憶され、前記参加者が携行する参加者識別情報記憶手段、
前記参加者識別情報、当該参加者に関する参加者情報、論文を識別する論文識別情報、当該論文に関する論文情報を記憶する学会情報記憶手段、
前記参加者識別情報記憶手段から前記参加者識別情報を読み取る参加者識別情報読取手段、
参加者識別情報読取手段が、前記参加者識別情報記憶手段から前記参加者識別情報を読み取った場合に、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理手段、
前記論文識別情報に基づいて、前記投票情報を論文毎に蓄積することにより第一投票集計情報を作成し、前記学会情報記憶手段に記憶させる第一集計手段、
前記参加者識別情報、前記参加者情報、前記論文識別情報および前記論文情報を用いることにより、前記第一集計手段により作成された前記第一投票集計情報から、投票した前記参加者と関連する論文に対応する前記論文識別情報を含む前記投票情報を除く関連投票情報排除手段、
として機能させることを特徴とする学会運営支援プログラム。
【発明の詳細な説明】
【技術分野】
【０００１】
本発明は、学術団体の研究集会等の学会における運営を支援する学会運営支援システム、学会運営支援方法および学会運営支援プログラムに関し、詳しくは、優秀論文を選出するための投票の集計を効率的に行うことのできる学会運営支援システム等に関するものである。
【背景技術】
【０００２】
学術団体の研究集会等においては、ＯＨＰ（overhead projector）、プロジェクター等を用い、小会場に分かれて研究内容を発表する口頭発表の他に、研究内容を現したポスターを壁に貼り、ポスターの内容に沿って研究内容を発表するポスター発表が一般的に行われている。これらの口頭発表、ポスター発表を含む論文発表に関しては、複数の論文発表の中から優秀な発表（論文）を投票により選び、選ばれた優秀な論文については、その後多くの参加者の前で再度発表することが一般的になっている。
【０００３】
また、展示会などに関し、特にパンフレットを選択的に配布するパンフレット配布システムが知られている（例えば、特許文献１参照）。このパンフレット配布システムにおいては、識別ＩＤが記録された来場者カードなどが用いられている。
【特許文献１】特開２００３−３０８３７９
【発明の開示】
【発明が解決しようとする課題】
【０００４】
投票により優秀な論文を投票により選ぶ際、研究集会等の主催者は、公平を期すために、投票の中から自薦票を除く作業、すなわち、当該論文発表者自身、または、論文発表者の所属団体に関係する者が投票した票を除く作業を行う。また、論文発表および投票が終了した後、優秀な論文を発表する所定の時刻の前までの短期間で開票作業を行う場合、開票担当者の開票作業が急かされていた。
【０００５】
本発明は、このような状況に鑑み、学術団体の研究集会における論文の投票処理を補助し、研究集会等において優秀な論文を投票により選ぶ際に、短時間で自薦票を除いて集計することにより、学会の運営を円滑に進める学会運営支援システム、学会運営支援方法、学会運営支援プログラムを提供することを目的とする。
【課題を解決するための手段】
【０００６】
上記課題を解決する本発明の学会運営支援システムは、学術団体の研究集会における論文の投票を補助する学会運営支援システムであって、前記研究集会の参加者を識別する参加者識別情報が記憶され、前記参加者が携行する参加者識別情報記憶手段と、前記参加者識別情報、当該参加者に関する参加者情報、論文を識別する論文識別情報、当該論文に関する論文情報を記憶する学会情報記憶手段と、前記参加者識別情報記憶手段から前記参加者識別情報を読み取る参加者識別情報読取手段と、参加者識別情報読取手段が、前記参加者識別情報記憶手段から前記参加者識別情報を読み取った場合に、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理手段と、前記論文識別情報に基づいて、前記投票情報を論文毎に蓄積することにより第一投票集計情報を作成し、前記学会情報記憶手段に記憶させる第一集計手段と、前記参加者識別情報、前記参加者情報、前記論文識別情報および前記論文情報を用いることにより、前記第一集計手段において蓄積される前記投票情報から、投票した前記参加者と関連する論文に対応する前記論文識別情報を含む前記投票情報を除く関連投票情報排除手段と、を有することを特徴とする。
【０００７】
よって、研究集会において優秀な論文を投票により選ぶ際に、ＩＣタグ等の参加者識別情報記憶手段を用いることにより、研究集会の主催者側が参加者の投票権限を容易に確認することができ、参加者に投票させることができる。また、論文投票の集計においても、論文の票（投票情報）のうち投票した前記参加者と関連する論文の票（投票情報）を除いて集計することにより、短時間で自薦票を除くことができ、公正な投票結果を得ることができる。その結果、学会の運営を円滑に進めることができる。
【０００８】
また、上記課題を解決する本発明の学会運営支援システムは、学術団体の研究集会における論文の投票を補助する学会運営支援システムであって、前記研究集会の参加者を識別する参加者識別情報が記憶され、前記参加者が携行する参加者識別情報記憶手段と、前記参加者識別情報、当該参加者に関する参加者情報、論文を識別する論文識別情報、当該論文に関する論文情報を記憶する学会情報記憶手段と、前記参加者識別情報記憶手段から前記参加者識別情報を読み取る参加者識別情報読取手段と、参加者識別情報読取手段が、前記参加者識別情報記憶手段から前記参加者識別情報を読み取った場合に、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理手段と、前記論文識別情報に基づいて、前記投票情報を論文毎に蓄積することにより第一投票集計情報を作成し、前記学会情報記憶手段に記憶させる第一集計手段と、前記参加者識別情報、前記参加者情報、前記論文識別情報および前記論文情報を用いることにより、前記第一集計手段により作成された前記第一投票集計情報から、投票した前記参加者と関連する論文に対応する前記論文識別情報を含む前記投票情報を除く関連投票情報排除手段と、を有することを特徴とする。
【０００９】
よって、研究集会において優秀な論文を投票により選ぶ際に、ＩＣタグ等の参加者識別情報記憶手段を用いることにより、研究集会の主催者側が参加者の投票権限を容易に確認することができ、参加者に投票させることができる。また、論文投票の集計においても、論文の票（投票情報）のうち投票した前記参加者と関連する論文の票（投票情報）を除いて集計することにより、短時間で自薦票を除くことができ、公正な投票結果を得ることができる。その結果、学会の運営を円滑に進めることができる。
【００１０】
上記本発明の学会運営支援システムにおいては、所定の前記論文識別情報に対応する前記投票情報に基づいて、前記参加者識別情報を論文毎に蓄積することにより第二投票集計情報を作成し、前記学会情報記憶手段に記憶させる第二集計手段をさらに有することを特徴とする。
【００１１】
よって、論文毎に参加者識別情報を蓄積することにより、論文の発表者に対し、自己の論文に興味を持った参加者の参加者識別情報に対応する参加者情報を提供することが可能となる。提供する参加者情報として、メールアドレスなどの連絡先が挙げられ、このような情報を提供された発表者は、学会における発表とは別途に、当該発表者の論文に興味を持った参加者に向けて、連絡先を用いて論文（発表）内容のさらなる説明等が可能となる。
【００１２】
上記本発明の学会運営支援システムにおいては、前記参加者識別情報読取手段が、前記参加者識別情報記憶手段から前記参加者識別情報を読み取った場合に、前記学会情報記憶手段は、前記研究集会に前記参加者が入場したことを記憶することを特徴とする。
【００１３】
よって、ＩＣタグ等の参加者識別情報記憶手段を用いることにより、研究集会にどのような参加者が入場したかを、研究集会の主催者が容易に把握することができる。さらに、参加者の退場についても管理することにより、学会の主催者は会場の混み具合などを把握することも可能である。
【００１４】
上記本発明の学会運営支援システムにおいては、前記参加者識別情報読取手段は、前記参加者識別情報記憶手段から前記参加者識別情報を読み取った場合に、前記参加者識別情報記憶手段を携行する前記参加者が、前記研究集会における所定のアンケートに回答した回答結果に対応する回答情報と、当該参加者の前記参加者識別情報と、を対応づけるアンケート情報を学会情報記憶手段に記憶させるアンケート処理手段をさらに有することを特徴とする。
【００１５】
よって、ＩＣタグ等の参加者識別情報記憶手段を用いることにより、アンケートの回答に対応する参加者の識別を容易に行うことができる。また、記憶されたアンケートの回答情報を用いることにより、必要に応じて様々な集計を行うことができ、種々の傾向を調査することができる。
【００１６】
上記本発明の学会運営支援システムにおいては、所定の前記論文識別情報に対応する前記投票情報および前記アンケート情報に基づいて、前記回答情報を論文毎に蓄積することによりアンケート集計情報を作成し、前記学会情報記憶手段に記憶させる第三集計手段をさらに有することを特徴とする。
【００１７】
よって、論文毎に回答情報を蓄積することにより、論文の発表者に対し、自己の論文に興味を持った参加者のアンケートの回答情報を提供することが可能となる。このような情報を提供された発表者は、アンケートの回答の傾向等を参考にして、今後の研究の方向を考えることが可能になる。
【００１８】
上記本発明の学会運営支援システムにおいては、前記アンケート情報に含まれる前記参加者識別情報に対応する前記参加者に抽選の権利を発行し、前記学会情報記憶手段に前記参加者情報として前記抽選の権利を有することを記憶させる発行手段と、前記参加者識別情報読取手段が前記参加者識別情報記憶手段を読み取った場合に、前記参加者情報として前記抽選の権利を有する前記参加者に対して抽選結果を出力する抽選処理手段と、をさらに有することを特徴とする。
【００１９】
よって、参加者は、アンケートに回答することによって抽選の権利が得られるため、参加者のアンケート回答率を向上させることができる。
【００２０】
また、上記課題を解決する本発明の学会運営支援方法は、学術団体の研究集会における論文の投票を補助し、前記研究集会の参加者を識別する参加者識別情報が記憶され、前記参加者が携行する参加者識別情報記憶手段と、前記参加者識別情報、当該参加者に関する参加者情報、論文を識別する論文識別情報、当該論文に関する論文情報を記憶する学会情報記憶手段と、を用いた学会運営支援方法であって、前記参加者識別情報記憶手段から前記参加者識別情報を読み取る参加者識別情報読取工程と、前記参加者識別情報読取工程の後、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理工程と、前記論文識別情報に基づいて、前記投票情報を論文毎に蓄積することにより第一投票集計情報を作成し、前記学会情報記憶手段に記憶させる第一集計工程と、前記参加者識別情報、前記参加者情報、前記論文識別情報および前記論文情報を用いることにより、前記第一集計工程において蓄積される前記投票情報から、投票した前記参加者と関連する論文に対応する前記論文識別情報を含む前記投票情報を除く関連投票情報排除工程と、を有することを特徴とする。
【００２１】
また、上記課題を解決する本発明の学会運営支援方法は、学術団体の研究集会における論文の投票を補助し、前記研究集会の参加者を識別する参加者識別情報が記憶され、前記参加者が携行する参加者識別情報記憶手段と、前記参加者識別情報、当該参加者に関する参加者情報、論文を識別する論文識別情報、当該論文に関する論文情報を記憶する学会情報記憶手段と、を用いた学会運営支援方法であって、前記参加者識別情報記憶手段から前記参加者識別情報を読み取る参加者識別情報読取工程と、前記参加者識別情報読取工程の後、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理工程と、前記論文識別情報に基づいて、前記投票情報を論文毎に蓄積することにより第一投票集計情報を作成し、前記学会情報記憶手段に記憶させる第一集計工程と、前記参加者識別情報、前記参加者情報、前記論文識別情報および前記論文情報を用いることにより、前記第一集計工程により作成された前記第一投票集計情報から、投票した前記参加者と関連する論文に対応する前記論文識別情報を含む前記投票情報を除く関連投票情報排除工程と、を有することを特徴とする。
【００２２】
さらに、上記課題を解決する本発明の学会運営支援プログラムは、学術団体の研究集会における論文の投票を補助する学会運営支援システムに含まれるコンピュータを、前記研究集会の参加者を識別する参加者識別情報が記憶され、前記参加者が携行する参加者識別情報記憶手段、前記参加者識別情報、当該参加者に関する参加者情報、論文を識別する論文識別情報、当該論文に関する論文情報を記憶する学会情報記憶手段、前記参加者識別情報記憶手段から前記参加者識別情報を読み取る参加者識別情報読取手段、参加者識別情報読取手段が、前記参加者識別情報記憶手段から前記参加者識別情報を読み取った場合に、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理手段、前記論文識別情報に基づいて、前記投票情報を論文毎に蓄積することにより第一投票集計情報を作成し、前記学会情報記憶手段に記憶させる第一集計手段、前記参加者識別情報、前記参加者情報、前記論文識別情報および前記論文情報を用いることにより、前記第一集計手段において蓄積される前記投票情報から、投票した前記参加者と関連する論文に対応する前記論文識別情報を含む前記投票情報を除く関連投票情報排除手段、として機能させることを特徴とする。
【００２３】
上記課題を解決する本発明の学会運営支援プログラムは、学術団体の研究集会における論文の投票を補助する学会運営支援システムに含まれるコンピュータを、前記研究集会の参加者を識別する参加者識別情報が記憶され、前記参加者が携行する参加者識別情報記憶手段、前記参加者識別情報、当該参加者に関する参加者情報、論文を識別する論文識別情報、当該論文に関する論文情報を記憶する学会情報記憶手段、前記参加者識別情報記憶手段から前記参加者識別情報を読み取る参加者識別情報読取手段、参加者識別情報読取手段が、前記参加者識別情報記憶手段から前記参加者識別情報を読み取った場合に、前記参加者識別情報記憶手段を携行する前記参加者が、所定の論文群の中から一または複数の論文を選択して投票した論文に対応する前記論文識別情報と、当該参加者の前記参加者識別情報と、を対応づける投票情報を学会情報記憶手段に記憶させる投票処理手段、前記論文識別情報に基づいて、前記投票情報を論文毎に蓄積することにより第一投票集計情報を作成し、前記学会情報記憶手段に記憶させる第一集計手段、前記参加者識別情報、前記参加者情報、前記論文識別情報および前記論文情報を用いることにより、前記第一集計手段により作成された前記第一投票集計情報から、投票した前記参加者と関連する論文に対応する前記論文識別情報を含む前記投票情報を除く関連投票情報排除手段、として機能させることを特徴とする。
【発明の効果】
【００２４】
本発明の学会運営支援システム、学会運営支援方法および学会運営支援プログラムによれば、学術団体の研究集会（いわゆる学会）における優秀論文を決めるための投票や、その投票の開票作業が、速やかにかつ公正に行うことができる。そのため、学会運営が円滑に進み、学会の主催者、参加者、学会における論文の発表者等にとって、有用なシステム、方法およびプログラムを提供できる。
【発明を実施するための最良の形態】
【００２５】
以下に、本発明の学会運営支援システムについて、図面を参照して説明する。
【００２６】
本発明の学会支援運営システムにおいては、学術団体の研究集会（以下、学会という。）における論文の投票を補助する。当該システムは、論文投票の集計を主に行い、学会の入場受付、学会におけるアンケート調査、学会における景品等の抽選等が行えるようになっている。
【００２７】
（１）学会運営支援システムの概要
図１は、本発明の学会運営支援システム全体の概要を示す図である。学会運営支援システムＳは、論文投票部門１０と、入場受付部門２０と、アンケート調査部門３０と、抽選管理部門４０と、からなり、各部門がデータベース５０と接続して学会運営に必要な情報を授受している。学会支援運営システムＳにおいては、後述するＩＣタグを学会の参加者が携行し、当該ＩＣタグが各部門において用いられる。なお、ＩＣタグは、本発明における参加者識別情報記憶手段として機能する。
【００２８】
論文投票部門１０は、参加者が例えばポスター発表等の所定の論文群から優秀な論文を選択して投票するために用いられる。入場受付部門２０は、参加者が学会の会場に入場したか否かを確認するために用いられる。アンケート調査部門３０は、学会に関連する事項についてアンケートを行うために用いられる。抽選管理部門４０は、参加者に対して景品等の抽選が行えるようになっている。データベース５０は、後述する学会運営支援システムＳに必要な種々の情報を記憶し、本発明の学会情報記憶手段として機能する。
【００２９】
以下に、各部門の構成および動作について説明する。
【００３０】
（２）論文投票の集計
論文投票部門１０について、図２〜図８を参照して説明する。
【００３１】
図２は、論文投票部門１０の構成を示す図であり、図３は、論文投票部門１０において参加者が論文を投票する際のフローチャートであり、図４は、図３において参加者が論文を投票する際の表示画面例を示す。図５は、論文投票終了後の投票を集計する際のフローチャートである。図６は、論文投票後に論文発表者に提供する他の情報を作成する際のフローチャートである。図７は、データベース５０や参加者が有するＩＣタグに記憶される情報の例を示し、図８は、データベース５０に記憶される論文投票の集計情報の例を示す。
【００３２】
この論文投票部門１０が機能する前提として、データベース５０には、参加者全員について、参加者を識別する参加者識別情報、参加者に関する参加者情報、発表される論文全てについて、論文を識別する論文識別情報および論文に関する論文情報が、記憶されている。また、後述する図９（Ｂ）に示すＩＣタグ６１には、参加者識別情報が記憶されている。
【００３３】
参加者全員についての参加者情報が、図７（Ａ）に示すようにデータベース５０に記憶されている。参加者情報としては、特に限定されないが、シリアル番号、ＩＣタグ番号、所属ＩＤ、来場属性、投票属性、所在地、連絡先等が挙げられる。シリアル番号は、「１０００５４」等の参加者が携行するＩＣタグの表面に記載されたシリアル番号を示し、ＩＣタグ番号は、「００３８４７」等の参加者が携行するＩＣタグ自体の整理番号である。参加者名は、「ＤＡＩ ＴＡＲＯ（大 太郎）」等の参加者の氏名を示し、所属ＩＤは、例えば、「１００２３」等、参加者が所属する会社や研究所、大学等のグループを識別する記号や番号を示す。来場属性は、学会への来場の属性を示し、学会への事前登録があった場合には「事前」、当日に学会への登録があった場合には「当日」、学会における無料で公開するスペースのみが見られる場合には「無料」等の属性を示す。投票属性は、参加者が論文投票する権利の有無を示し、通常の参加者は投票属性を「あり」とし、上述のように来場属性が「無料」である場合には投票属性を「なし」とする等、学会の主催者が決定する。所在地は、「ＪＡＰＡＮ」等、参加者や参加者の所属の国籍等を示す。連絡先は、メールアドレス、住所、電話番号等の連絡先を示す。この参加者情報は、本発明における参加者情報である。また、ＩＣタグ番号は、本発明における参加者識別情報である。
【００３４】
学会の参加者は、後述する図９（Ｂ）に示すように、シリアル番号が表面に記載されているＩＣタグ６１を携行している。このＩＣタグ６１には、例えば、図７（Ｂ）に示すように、シリアル番号およびＩＣタグ番号がＩＣタグ情報として記憶されている。ＩＣタグ６１には、同様に、入場済みか、論文投票が済んだか、アンケートに回答したか、抽選が済んだか等の簡易な情報が記憶できるようになっていてもよい。このＩＣタグ６１は、本発明における参加者識別情報記憶手段として機能する。なお、図７（Ｂ）に示す各情報は、データベース５０に記憶されて、後述する論文投票管理装置１５等において参照することが可能となっていてもよい。
【００３５】
一方、投票の対象となる論文の全てについての論文情報が、図７（Ｃ）に示すようにデータベース５０に記憶されている。論文情報としては、特に限定されないが、論文ＩＤ、論文カテゴリ、論文名、執筆者名、執筆者所属ＩＤ等の情報が挙げられる。論文ＩＤは、「５Ａ２３２」等の各論文に割り当てられ、他の論文と識別するための番号や記号を示す。論文カテゴリは、「分野Ａ」、「分野Ｂ」等、論文のテーマに基づいて学会の主催者が便宜的に決めたカテゴリを示す。論文名は、「○を用いた△処理」等、発表される論文の表題を示す。執筆者名は、「△山…」等、執筆者の氏名であり、複数名の場合もある。執筆者所属ＩＤは、「２０１０５」等の執筆者の所属ＩＤであり、執筆者が複数であれば所属ＩＤも複数の場合がある。執筆者所属ＩＤは、参加者情報における所属ＩＤと共通である。この論文情報は、本発明における論文情報である。また、論文ＩＤは本発明における論文識別情報である。
【００３６】
また、論文投票の集計のために、図７（Ｄ）に示すように、学会の参加者、発表する論文の執筆者についての所属情報がデータベース５０に記憶されている。所属情報としては、特に限定されないが、上述の所属ＩＤ、「○△会社」や「××研究所」などの所属ＩＤに対応する所属名、各所属名に対応する略称である所属略称等の情報が挙げられる。
【００３７】
図２に示すように、論文投票部門１０は、タッチパネル１１とＰＣ（パーソナルコンピュータ）１２、ＩＣタグＲ／Ｗ（リーダ／ライタ）１３とからなる投票受付部１４と、論文投票管理装置１５と、からなる。なお、ＩＣタグＲ／Ｗ１３は、本発明の参加者識別情報読取手段として機能し、論文投票管理装置１５は、本発明の投票処理手段、第一集計手段、関連投票情報排除手段および第二集計手段として機能する。
【００３８】
タッチパネル１１は、論文投票に必要な画面を表示するとともに、参加者が所定の画面に触れることにより、論文を投票する操作を可能とする。具体的に、タッチパネル１１は、ＩＣタグＲ／Ｗ１３が、参加者が携行するＩＣタグからＩＣタグ番号を読み取った場合に、当該参加者が、所定の論文群の中から一または複数の論文を選択して投票するために用いられる。
【００３９】
ＰＣ１２は、タッチパネル１１および論文投票管理装置１５と接続し、タッチパネル１１により入力された情報を論文投票管理装置１５に送信するとともに、論文投票管理装置１５から受信した情報等をタッチパネル１１に表示させる。また、ＰＣ１２は、論文投票管理装置１５からの指示で一時的に情報を記憶する。
【００４０】
ＩＣタグＲ／Ｗ１３は、参加者が携行するＩＣタグを近づけ、または接触することにより、当該ＩＣタグから当該参加者のＩＣタグ番号を読み取る。また、ＩＣタグＲ／Ｗ１３は、参加者のＩＣタグ番号を読み取った後に参加者が論文投票を済ませた場合に、図７（Ｂ）に示すように、論文投票を済ませた旨の情報を当該ＩＣタグに書き込めるようになっていてもよい。
【００４１】
投票受付部１４は、タッチパネル１１、ＰＣ１２およびＩＣタグＲ／Ｗ１３を統括し、これらの各部材から送信された情報を論文投票管理装置１５に送る。また、投票受付部１４は、論文投票管理装置１５から必要な情報を受け取り、ＰＣ１２を介してタッチパネル１１に画面を表示し、ＩＣタグＲ／Ｗ１３から参加者のＩＣタグに情報を書き込む。
【００４２】
論文投票管理装置１５は、投票受付部１４に含まれるタッチパネル１１、ＰＣ１２およびＩＣタグＲ／Ｗ１３の動作を監視し、投票受付部１４とデータベース５０との間の情報の授受を媒介する。
【００４３】
論文投票管理装置１５は、参加者がタッチパネル１１を用いて投票した論文に対応する論文ＩＤと、当該参加者のＩＣタグ番号とを対応づけた投票情報を作成し、当該投票情報をデータベース５０に記憶させる。
【００４４】
ここで、投票情報は、図７（Ｅ）に示すように、ＩＣタグ番号と論文ＩＤを必須の情報として含み、併せて投票時刻の情報や投票に用いた端末（投票受付部１４）のＩＰアドレスの情報を含んでいてもよい。これらの投票情報は、論文投票管理装置１５が作成し、データベース５０に記憶させるものである。
【００４５】
論文投票管理装置１５は、論文ＩＤに基づいて、投票情報を論文毎に蓄積することにより図８（Ａ）に示すように、第一投票集計情報を作成し、データベース５０に記憶させる。第一投票集計情報は、一の論文に対してＩＣタグ番号を初めとする投票情報が蓄積される。この第一投票集計情報は、本発明における第一投票集計情報である。
【００４６】
このとき、論文投票管理装置１５は、ＩＣタグ番号、参加者情報、論文ＩＤおよび論文情報を用いることにより、上述のように蓄積される投票情報から、投票した参加者と関連する論文に対応する論文ＩＤを含む投票情報を除く。この投票した参加者と関連する論文への投票情報は、いわゆる自薦票である。自薦票に対応する投票情報は、（１）投票情報のＩＣタグ番号を含む参加者情報の参加者名と、当該投票情報の論文ＩＤを含む論文情報の執筆者名の一つが同一であるもの、（２）投票情報のＩＣタグ番号を含む参加者情報の所属ＩＤと、当該投票情報の論文ＩＤを含む論文情報の執筆者所属ＩＤの一つが同一であるもの、（３）投票情報のＩＣタグ番号を含む参加者情報の所属ＩＤに対応する所属が、当該投票情報の論文ＩＤを含む論文情報の執筆者所属ＩＤの一つに対応する所属とグループ会社等の関係があるもの、が挙げられる。これらは、投票者と論文の執筆者が同一、投票者の所属と論文の執筆者の所属が同一、または、投票者の所属と執筆者の所属の関連がある、という場合である。このうち、（１）が自薦票とされて蓄積される投票情報からこの投票情報が除かれる。さらに、（２）または（３）を自薦票（いわゆる組織票）として、蓄積される投票情報からこの投票情報を除いてもよい。
【００４７】
論文投票管理装置１５は、投票情報から自薦票に対応する投票情報を削除する場合、第一集計情報を作成した後に当該投票情報を削除してもよいし、第一集計情報を作成する前の段階で当該投票情報を削除してもよい。後述する集計の動作においては、第一集計情報を作成する前の段階で当該投票情報を削除する態様について説明する。また、第一集計情報を作成した後に当該投票情報を削除する場合には、図８（Ｂ）に示すように、第一投票集計情報にＩＣタグ番号に対応してその投票情報が自薦票か否かの情報を含めてもよい。
【００４８】
論文投票管理装置１５は、所定の論文ＩＤに対応する投票情報に基づいて、ＩＣタグ番号を論文毎に蓄積することにより図８（Ｂ）に示すような第二投票集計情報を作成し、データベース５０に記憶させる。この第二投票集計情報には、一の論文ＩＤに対応し、少なくともＩＣタグ番号が蓄積され、ＩＣタグ番号に対応する参加者情報の連絡先等を蓄積させることができる。この第二投票集計情報は、本発明における第二投票集計情報である。
【００４９】
また、論文投票管理装置１５は、論文投票部門１０にエラーが発生したときにそれを検知し、システムＳの管理者に指示を仰ぐようになっていてもよい。
【００５０】
次いで、論文投票部門１０における動作について、図３〜図６を用いて説明する。
【００５１】
この動作について、学会の参加者が発表された論文に対して投票する際の動作、投票後に第一論文集計情報を作成する際の動作、第二論文集計情報を作成する際の動作、の順で説明する。
【００５２】
学会の参加者が発表された論文に対して投票する際の動作について、図３および図４を用いて説明する。なお、ここでは、投票する論文の数（例えば、三報等）が規定されている場合の動作について説明する。
【００５３】
学会の参加者が論文の投票を行っていないときは、論文投票管理装置１５は、タッチパネル１１に、例えば図４（Ａ）に示す画面を表示させており、その学会名である「○×学会投票」、論文投票に関する「投票者数：＊＊＊名、投票率：＊＊％」、などの事項が表示されている。
【００５４】
動作が始まると（スタート）、論文投票管理装置１５は、ＩＣタグＲ／Ｗ１３にＩＣタグから情報を読み取るよう指示をする（ステップＳ１１）。このとき、参加者がＩＣタグＲ／Ｗ１３にＩＣタグを近づけ、または接触させることにより、ＩＣタグＲ／Ｗ１３がＩＣタグを検知したか否かを論文投票管理装置１５は判断する（ステップＳ１２）。ＩＣタグＲ／Ｗ１３がＩＣタグを検知したと論文投票管理装置１５が判断した場合（ステップＳ１２ＹＥＳ）、論文投票管理装置１５は、データベース５０に対し、ＩＣタグから読み取ったＩＣタグ番号を用い、当該ＩＣタグに対応する参加者がこの○×学会において投票する権限を有しているか否か問い合わせる（ステップＳ１３）。論文投票管理装置１５は、データベース５０に問い合わせた結果、この参加者が○×学会において投票する権限を有していると判断した場合（ステップＳ１３ＹＥＳ）、例えば、図４（Ｂ）に示す画面のように「カテゴリを選んでください。」の文言と論文のカテゴリを示す分野Ａ〜分野Ｆをタッチパネル１１に表示させ、そのＩＣタグを有する参加者にカテゴリを選択させる（ステップＳ１４）。
【００５５】
一方、ステップＳ１２において、ＩＣタグＲ／Ｗ１３がＩＣタグを検知しないと論文投票管理装置１５が判断した場合（ステップＳ１２ＮＯ）、上述のステップＳ１１に戻る。また、ステップＳ１３において、論文投票管理装置１５は、データべース５０に問い合わせた結果、この参加者が○×学会において投票する権限を有していないと判断した場合にも（ステップＳ１３ＮＯ）、例えば、タッチパネル１１に「あなたは投票権限を有していません」等の表示により参加者に投票権限がないことを知らせ、上述のステップＳ１１に戻る。
【００５６】
次いで、ステップＳ１４において、参加者が選択した論文のカテゴリ（例えば分野Ｂ）の画面に触れると、論文投票管理装置１５は、例えば、図４（Ｃ）に示す画面のように「論文を選んでください。」の文言と論文名（論文名Ｇ〜論文名Ｊ）、発表者名、発表会場の組合せ、「カテゴリに戻る」の文言をタッチパネル１１に表示させ、そのＩＣタグを有する参加者に論文を選択させる。このとき、論文投票管理装置１５は、参加者が論文を選択したか否かを判断する（ステップＳ１５）。
【００５７】
論文投票管理装置１５は、参加者が選択した論文（例えば論文名Ｈ）の画面に触れることにより、参加者が論文を選択したと判断した場合（ステップＳ１５ＹＥＳ）、論文投票管理装置１５は、選択された論文名Ｈの論文ＩＤと参加者のＩＣタグ番号とを組み合わせてＰＣ１２に一時的に記憶させる。
【００５８】
次いで、論文投票管理装置１５は、選択された論文の数が規定の選択数に達したか否かを判断する（ステップＳ１６）。論文投票管理装置１５が規定の選択数に達していると判断した場合には（ステップＳ１６ＹＥＳ）、例えば、図４（Ｄ）に示す画面のように「選択された論文リスト」の文言と、参加者が選択した論文名と発表者名の組合せと、この内容で投票するか否か（参加者が「投票」するかまたは「キャンセル」するか）を選択するための表示をし、参加者が投票するか否かを判断する（ステップＳ１７）。ここで、参加者が「投票」に触れたことを論文投票管理装置１５が認識することにより、参加者が投票すると判断すると（ステップＳ１７ＹＥＳ）、ＰＣ１２に一時的に記憶されている論文ＩＤとＩＣタグ番号とを対応づけた情報について、投票情報としてデータベース５０に記憶させるとともに、例えば、図４（Ｅ）に示す画面のように「投票ありがとうございました」の文言をタッチパネル１１に表示させ（ステップＳ１８）、一連の動作が終了する（エンド）。この後、所定の時間が経過すると、図４（Ａ）に示す画面に戻り、ステップＳ１１に戻る。
【００５９】
なお、ステップＳ１５において、論文投票管理装置１５は、参加者が「カテゴリに戻る」の画面に触れることにより、参加者が論文を選択していないと判断した場合（ステップＳ１５ＮＯ）、ステップＳ１４に戻り、参加者は改めて論文を選択する。
【００６０】
ステップＳ１６において、論文投票管理装置１５が規定の選択数に達していないと判断した場合には（ステップＳ１６ＮＯ）、ステップＳ１４に戻り、参加者は次の論文を選択する。
【００６１】
ステップＳ１７において、参加者が「キャンセル」に触れたことを論文投票管理装置１５が認識すると（ステップＳ１８ＮＯ）、これまでに参加者が選択していた全てまたは一部の論文がキャンセルされ、ＰＣ１２に一時的に記憶されていた情報が削除されるとともに、ステップＳ１４に戻り、参加者は再度論文を選択することができることとなる。
【００６２】
論文投票部門１０は、上述の一連の動作を論文の投票受付時間内に繰り返す。
【００６３】
この結果、投票情報として図７（Ｅ）に示すように、投票した参加者のＩＣタグ番号、投票された論文の論文ＩＤ、投票時刻、投票に用いられた端末のＩＰアドレス、等が投票毎にデータベース５０に記憶される。
【００６４】
ここで、上述の動作においては投票する論文の数が規定されているとして説明したが、投票する論文の数が規定されていない場合、すなわち、何報の論文に投票してもよい場合には、上述のステップＳ１６以降が変更される。変更されたステップＳ１６’において、論文投票管理装置１５が選択し得る全ての論文に投票したか否かを判断する動作が代わりに入り、選択し得る全ての論文に投票した場合（ステップＳ１６’ＹＥＳ）には、ステップＳ１８に進み、選択し得る全ての論文に投票していない場合（ステップＳ１６’ＮＯ）には、ステップＳ１７に進むようにする。
【００６５】
なお、データベース５０に記憶されている学会の参加者に含まれる投票の有権者数と投票情報の数とから、投票率を算出し、図４（Ａ）に画面例を示すように、学会の参加者に投票率を開示できるようになっていてもよい。
【００６６】
次いで、参加者による論文の投票が終了した後に、投票を集計して第一投票情報を作成する動作について、図５を用いて説明する。なお、ここでは、上述の（１）に該当する自薦票のみを排除する動作について説明する。
【００６７】
論文の投票受付時間が終了して、動作が開始されると（スタート）、論文投票管理装置１５は、未処理の投票情報を一件取り出す（ステップＳ２１）。次いで、論文投票管理装置１５は、取り出した投票情報に含まれるＩＣタグ番号と一致するＩＣタグ番号を有する一件の参加者情報を取り出し（ステップＳ２２）、取り出した投票情報に含まれる論文ＩＤと一致する論文ＩＤを有する一件の論文情報を取り出す（ステップＳ２３）。次いで、論文投票管理装置１５は、取り出した論文情報に含まれる執筆者名のいずれかと参加者情報に含まれる参加者名が同一か否か判断する（ステップＳ２４）。
【００６８】
論文投票管理装置１５は、論文情報に含まれる執筆者名のいずれかと参加者情報に含まれる参加者名が同一であると判断すると（ステップＳ２４ＹＥＳ）、論文情報において当該執筆者名に対応する所属ＩＤと参加者情報に含まれる所属ＩＤが同一か否か判断する（ステップＳ２５）。
【００６９】
論文投票管理装置１５は、論文情報において当該執筆者名に対応する所属ＩＤと参加者情報に含まれる所属ＩＤが同一であると判断すると（ステップＳ２５ＹＥＳ）、この投票情報を自薦票とみなし、ステップＳ２１に戻る。このとき、自薦票とみなされた投票情報は、処理済みの投票情報として扱われるようにする。
【００７０】
一方、ステップＳ２５において、論文情報において当該執筆者名に対応する所属ＩＤと参加者情報に含まれる所属ＩＤが同一でないと判断すると（ステップＳ２５ＮＯ）、この投票情報による投票は有効であるため、有効票としてカウントし、第一論文集計情報に加える（ステップＳ２６）。このとき、有効票としてカウントされた投票情報は、処理済みの投票情報として扱われるようにする。
【００７１】
また、ステップＳ２４において、論文情報に含まれる執筆者名のいずれかと参加者情報に含まれる参加者名が同一でないと判断すると（ステップＳ２４ＮＯ）、この投票情報による投票は有効であるため、有効票としてカウントし、第一論文集計情報に加える（ステップＳ２６）。このとき、有効票としてカウントされた投票情報は、処理済みの投票情報として扱われるようにする。
【００７２】
そして、有効票をカウントした後（ステップＳ２６）、論文投票管理装置１５は、投票情報の処理の回数が投票総数に達したか否か判断する（ステップＳ２７）。投票情報の処理の回数が投票総数に達したと判断すると（ステップＳ２７ＹＥＳ）、一連の動作を終了する（エンド）。このとき、論文投票の集計処理が終わり、開票結果を示す第一論文集計情報が得られる。
【００７３】
一方、投票情報の処理の回数が投票総数に達していないと判断すると（ステップＳ２７ＮＯ）、ステップＳ２１に戻り、未処理の投票情報についての集計を開始する。
【００７４】
このように、論文投票の集計処理は、ＩＣタグを用いて論文投票をした投票情報を用いることにより、迅速に行われる。また、所属ＩＤ等を利用することにより自薦票を排除できるので、論文投票の集計処理を迅速かつ公正に行うことができる。
【００７５】
なお、第一論文集計情報を作成する処理は、投票を受け付けている期間においても可能であり、また、この集計処理の際、学会の主催者が投票の集計状況を閲覧することが可能になっていてもよい。
【００７６】
さらに、図５を用いて説明した動作において、ステップＳ２５ＮＯの後に、投票した参加者の所属と投票された論文の執筆者の所属とが同一である場合に、その投票情報を上述の自薦票（２）として排除することとしてもよい。同様に、投票した参加者の所属と投票された論文の執筆者の所属とが関連がある場合に、その投票情報を上述の自薦票（３）として排除することとしてもよい。
【００７７】
次いで、論文投票後に論文発表者に他の情報を提供するために、投票を集計して第二投票情報を作成する動作について、図６を用いて説明する。
【００７８】
動作が開始されると（スタート）、論文投票管理装置１５は、未処理の投票情報を一件取り出す（ステップＳ３１）。次いで、論文投票管理装置１５は、取り出した投票情報のＩＣタグ番号と同じＩＣタグ番号が含まれている参加者情報を取り出す（ステップＳ３２）。投票情報の論文ＩＤとＩＣタグ番号を含む参加者情報とを組み合わせ、第二投票集計情報としてデータベース５０に記憶させる（ステップＳ３３）。次いで、この投票情報を処理した回数がこの論文ＩＤに対する投票総数に達したか否かを判断する（ステップＳ３４）。投票情報を処理した回数がこの論文ＩＤに対する投票総数に達しないと判断した場合（ステップＳ３４ＮＯ）、ステップＳ３１に戻り、未処理の投票情報について処理する。投票情報を処理した回数がこの論文ＩＤに対する投票総数に達したと判断した場合（ステップＳ３４ＹＥＳ）、一連の処理を終了する（エンド）。
【００７９】
このようにして、投票情報の論文ＩＤと参加者情報との組合せの情報である第二投票集計情報がデータベース５０に蓄積される。そのため、学会の主催者は、投票情報の論文ＩＤと組み合わせられている参加者情報に含まれる連絡先、例えば、メールアドレス等を集約し、これを論文情報の論文ＩＤに対応する執筆者に対し、投票の付加情報として提供することができる。
【００８０】
投票の付加情報を提供された執筆者は、学会における発表とは別途に、当該執筆者の論文に興味を持った参加者に向けて、論文内容のさらなる説明等が可能となる。
【００８１】
（３）学会の入場受付
学会の入場受付部門２０について、図９および図１０（Ａ）を参照して説明する。
【００８２】
図９（Ａ）は、入場受付部門２０の構成の概要を示す図であり、図９（Ｂ）は、学会の入場を受け付ける際の態様を説明する図である。図１０は、データベース５０に記憶される種々の情報の例を示し、図１０（Ａ）は学会の入場情報を示す。
【００８３】
入場受付部門２０は、通常、学会が行われる会場の出入口に設けられる。入場受付部門２０は、図９（Ａ）に示すように、ＩＣタグＲ／Ｗ２１と、出力部２２と、受付管理装置２３と、からなる。ＩＣタグＲ／Ｗ２１は、受付管理装置２３を介してデータベース５０と接続されるとともに、ＩＣタグＲ／Ｗ２１と出力部２２とが接続されている。ＩＣタグＲ／Ｗ２１は、本発明における参加者識別情報読取手段として機能する。
【００８４】
ＩＣタグＲ／Ｗ２１は、参加者が携行するＩＣタグを近づけ、または接触することにより、当該ＩＣタグから当該参加者のＩＣタグ番号を読み取る。また、ＩＣタグＲ／Ｗ２１は、参加者のＩＣタグ番号を読み取った場合に、図７（Ｂ）に示すように、入場した旨の情報を当該ＩＣタグに書き込めるようになっていてもよい。ＩＣタグＲ／Ｗ２１は、学会の会場の入口などに設置される。
【００８５】
出力部２２は、音声を発生するスピーカ等、または画面を表示するディスプレイ等である。出力部２２は、ＩＣタグＲ／Ｗ２１により入場受付が完了した場合や、入場を受け付けられない場合に、その旨を音声または画面等により参加者に知らせる。出力部２２は、ＩＣタグＲ／Ｗ２１と接続され、ＩＣタグＲ／Ｗ２１の近くに設置することが好ましい。
【００８６】
受付管理装置２３は、ＩＣタグＲ／Ｗ２１および出力部２２の動作を監視し、これらとデータベース５０との間の情報の授受を媒介する。受付管理装置２３は、入場受付部門２０にエラーが発生したときにそれを検知し、システムＳの管理者に指示を仰ぐようになっていてもよい。また、受付管理装置２３は、主催者側の受付担当者から、ＩＣタグのシリアル番号とこのＩＣタグを携行する参加者の参加者情報とを対応づけて入力できるようになっていてもよい。
【００８７】
ここで、入場受付部門２０における動作を行う前提について図９（Ｂ）説明する。
【００８８】
（２）においても説明したように、図７（Ａ）に示す参加者情報は、事前に登録している参加者について、学会の会期が始まる前からデータベース５０に記憶されている。
【００８９】
学会の来場者は、受付にいる主催者側の受付担当者に名刺６２を提示して事前に登録しているか否かを伝える。なお、来場者が名刺６２を持っていない場合には、代わりに来場者の名前、会社などの所属、国名などの所在地等を記載した紙を用いる。
【００９０】
受付担当者は、事前に学会への参加を登録している人に対しては、図９（Ｂ）に示すように、その人に対応するＩＣタグ番号が記憶されたＩＣタグ６１を参加証として渡す。
【００９１】
一方、受付担当者は、学会の当日に参加を登録する人に対しては、図９（Ｂ）に示すように、ＩＣタグである参加証６１と来場者の名刺６２とを交換し、ＩＣタグ６１表面に記載されたシリアル番号を受け取った名刺６２に記載し、またはシリアル番号が記載されたシールを名刺６２に貼り付ける。受付担当者は、受付管理装置２３を用いてその名刺の内容（参加者名、所属（所属ＩＤ）、所在地）とシリアル番号を組み合わせて参加者情報としてデータベース５０に記憶し、参加者情報を更新する。このシリアル番号によりＩＣタグ番号および参加者情報を特定することができる。
【００９２】
なお、事前に学会への参加を登録している人に対しても、同様にし、受付後に参加者情報にＩＣタグ６１のシリアル番号を加えてもよい。また、事前に学会への参加を登録している人に対し、事前にＩＣタグ６１を郵送し、シリアル番号を含めた参加者情報をデータベースに記憶してもよい。
【００９３】
次いで、入場受付部門２０における動作について説明する。
【００９４】
学会の来場者が有するＩＣタグを入場時にＩＣタグＲ／Ｗ２１に近づけ、または接触させると、受付管理装置２３は、そのＩＣタグ番号が参加者情報に存在するかどうか、データベース５０を用いて認証する。当該ＩＣタグ番号が参加者情報に存在すれば「可」、存在しないならば「不可」、という信号をデータベース５０は受付管理装置２３に送信する。次いで、受付管理装置２３は、受け取った信号が「可」の場合、出力部２２に「ピンポン！」等の音を発生させ、または、「ＯＫ！  ご入場下さい。」等の画面を表示させることにより、入場できることを来場者に知らせる。一方、受付管理装置２３は、受け取った信号が「不可」の場合、出力部２２に「ブー」等の音を発生させ、または、「ＮＧ！  ＩＣタグをご確認下さい。」等の画面を表示させることにより、入場できないことを来場者に知らせる。これより、図１０（Ａ）に示すような学会の入場情報がデータベース５０に記憶される。入場情報としては、ＩＣタグＲ／Ｗ２１により検知したＩＣタグのＩＣタグ番号、当該検知した時刻を示す入場時刻、当該検知したＩＣタグＲ／Ｗ２１のＩＰアドレス等が記憶される。
【００９５】
入場受付部門２０においてＩＣタグを用いることにより、学会にどのような参加者が入場したかを、学会の主催者が容易に把握することができる。
【００９６】
この入場受付部門２０による処理は、参加者が初めて来場するときのみに行ってもよいし、学会の会期が長く複数日に渡る場合などに、入場する毎に行ってもよい。また、同様にして、ＩＣタグ６１を用いて参加者の退場の管理をすることも可能であり、この場合、学会の主催者は、会場の混み具合などを把握することも可能である。
【００９７】
（４）アンケート調査
アンケート調査部門３０について、図１０〜図１５を参照して説明する。
【００９８】
図１０（Ｂ）は学会のアンケート情報を示し、図１０（Ｃ）は学会のアンケート集計情報を示す。図１１は、アンケート調査部門３０の構成を示す図であり、図１２は、アンケート調査部門３０において参加者がアンケートに回答する際のフローチャートであり、図１３は、図１２において参加者がアンケートに回答する際の表示画面例を示す。図１４は、通常のようにアンケートを集計する際のフローチャートであり、図１５は、アンケート回答終了後に論文発表者に提供する他の情報を作成する際のフローチャートである。
【００９９】
このアンケート調査部門３０が機能する前提として、（２）において上述したように、データベース５０に参加者全員の参加者情報が記憶されており、参加者はＩＣタグを携行している。また、データベース５０に学会で発表する論文全ての論文情報が記憶されている。
【０１００】
図１１に示すように、アンケート調査部門３０は、タッチパネル３１とＰＣ（パーソナルコンピュータ）３２とＩＣタグＲ／Ｗ（リーダ／ライタ）３３とからなるアンケート受付部３４と、アンケート調査管理装置３５と、からなる。ＩＣタグＲ／Ｗ３３は、本発明の参加者識別情報読取手段として機能し、アンケート調査管理装置３５は、本発明のアンケート処理手段、第三集計手段として機能する。
【０１０１】
タッチパネル３１は、アンケート調査に必要な画面を表示するとともに、参加者が所定の画面に触れることにより、アンケートに回答する操作を可能とする。具体的に、タッチパネル３１は、ＩＣタグＲ／Ｗ３３が、参加者が携行するＩＣタグからＩＣタグ番号を読み取った場合に、当該参加者が、学会における所定のアンケートに回答するために用いられる。
【０１０２】
ＰＣ３２は、タッチパネル３１およびアンケート調査管理装置３５と接続し、タッチパネル３１により入力された情報をアンケート調査管理装置３５に送信するとともに、アンケート調査管理装置３５から受信した情報等をタッチパネル３１に表示させる。また、ＰＣ３２は、アンケート調査管理装置３５からの指示で一時的に情報を記憶する。
【０１０３】
ＩＣタグＲ／Ｗ３３は、参加者が携行するＩＣタグを近づけ、または接触することにより、当該ＩＣタグから当該参加者のＩＣタグ番号を読み取る。また、ＩＣタグＲ／Ｗ３３は、参加者のＩＣタグを読み取った後に参加者がアンケートの回答を済ませた場合に、図７（Ｂ）に示すように、アンケートの回答を済ませた旨の情報を当該ＩＣタグに書き込めるようになっていてもよい。
【０１０４】
アンケート受付部３４は、タッチパネル３１、ＰＣ３２およびＩＣタグＲ／Ｗ３３を統括し、これらの各部材から送信された情報をアンケート調査管理装置３５に送る。また、アンケート受付部３４は、アンケート調査管理装置３５から必要な情報を受け取り、ＰＣ３２を介してタッチパネル３１に画面を表示し、ＩＣタグＲ／Ｗ３３から参加者のＩＣタグに情報を書き込む。
【０１０５】
アンケート調査管理装置３５は、アンケート受付部３４に含まれるタッチパネル３１、ＰＣ３２およびＩＣタグＲ／Ｗ３３の動作を監視し、アンケート受付部３４とデータベース５０との間の情報の授受を媒介する。
【０１０６】
アンケート調査管理装置３５は、参加者がタッチパネル３１を用いて学会における所定のアンケートに回答した回答結果に対応する回答情報と、当該参加者のＩＣタグ番号と、を対応づけるアンケート情報をデータベース５０に記憶させる。
【０１０７】
ここで、回答情報は、図１０（Ｂ）に示すように、アンケートの各設問の回答（問１〜問３の回答）を必須の情報として含み、合わせて回答の開始時刻と終了時刻、回答に用いた端末（アンケート受付部３４）のＩＰアドレス、後述する抽選権限等の情報を含んでいてもよい。この回答情報は、本発明における回答情報である。
【０１０８】
また、アンケート情報は、図１０（Ｂ）に示すように、アンケートに回答した参加者のＩＣタグ番号とその回答情報を必須の情報として含み、その他の情報を含んでいてもよい。このアンケート情報は、本発明におけるアンケート情報である。
【０１０９】
アンケート調査管理装置３５は、回答情報に基づいて、通常のアンケートの集計と同様にアンケート結果を集計する。
【０１１０】
アンケート調査管理装置３５は、所定の論文ＩＤに対応する投票情報および上述のアンケート情報に基づいて、回答情報を論文毎に蓄積することによりアンケート集計情報を作成し、データベース５０に記憶させる。
【０１１１】
ここで、アンケート集計情報は、図１０（Ｃ）に示すように、論文ＩＤとこれに投票した参加者の回答情報とを必須の情報として含み、その他に当該論文に投票した参加者のＩＣタグ番号を含んでいてもよい。このアンケート集計情報は、本発明におけるアンケート集計情報である。
【０１１２】
また、アンケート調査管理装置３５は、アンケート調査部門３０にエラーが発生したときにそれを検知し、システムＳの管理者に指示を仰ぐようになっていてもよい。
【０１１３】
次いで、アンケート調査部門３０における動作について、図１２〜図１５を用いて説明する。
【０１１４】
この動作について、学会の参加者がアンケートに回答する際の動作、回答後にアンケート結果を集計する際の動作、アンケート集計情報を作製する際の動作、の順で説明する。
【０１１５】
まず、学会の参加者がアンケートに回答する際の動作について、図１２および図１３を用いて説明する。
【０１１６】
学会の参加者がアンケートの回答を行っていないときは、図１３（Ａ）に示す画面が表示されており、例えば、その学会名である「○×学会アンケート」、アンケートに関する「回答者数：＊＊＊名、回答率：＊＊％」、などの事項が表示されている。
【０１１７】
図１２に示すように、動作が開始すると（スタート）、アンケート調査管理装置３５は、ＩＣタグＲ／Ｗ３３にＩＣタグから情報を読み取るよう指示をする（ステップＳ４１）。このとき、参加者がＩＣタグＲ／Ｗ３３にＩＣタグを近づけ、または接触させることにより、ＩＣタグＲ／Ｗ３３がＩＣタグを検知したか否かをアンケート調査管理装置３５は判断する（ステップＳ４２）。ＩＣタグＲ／Ｗ３３がＩＣタグを検知した場合（ステップＳ４２ＹＥＳ）、アンケート調査管理装置３５は、データベース５０に対し、ＩＣタグから読み取ったＩＣタグ番号を用い、当該ＩＣタグに対応する参加者がこの○×学会においてアンケートに回答する権限を有しているか否か問い合わせる（ステップＳ４３）。アンケート調査管理装置３５は、データベース５０に問い合わせた結果、この参加者が○×学会において投票する権限を有していると判断した場合（ステップＳ４３ＹＥＳ）、データベース５０に、図１０（Ｂ）の回答情報に示すように、当該参加者が回答を開始した時刻を記憶させる（ステップＳ４４）。
【０１１８】
一方、アンケート調査管理装置３５は、データベース５０に問い合わせた結果、この参加者が○×学会において投票する権限を有していないと判断した場合（ステップＳ４３ＮＯ）、アンケート調査は開始せず、ステップＳ４１に戻る。
【０１１９】
ステップＳ４４の後、アンケート調査管理装置３５は、図１３（Ｂ）に示す画面のように、ＰＣ３２を介してタッチパネル３１にアンケートの質問項目およびその回答を表示する（ステップＳ４５）。
【０１２０】
この後、参加者がタッチパネル３１の質問項目（Ｑ１〜Ｑ４）に触れることにより選択すると、一の質問項目（例えばＱ１）が選択されたことを、ＰＣ３２を介してアンケート調査管理装置３５が検知し、質問項目Ｑ１を表示する（ステップＳ４６）。
【０１２１】
アンケート調査管理装置３５は、ステップＳ４６により質問項目が表示された後、規定の時間が経過したか否かを判断する（ステップＳ４７）。アンケート調査管理装置３５が規定の時間が経過したと判断した場合（ステップＳ４７ＹＥＳ）、タッチパネル３１に待ち受け画面を表示させ（ステップＳ４８）、ステップＳ４１に戻る。
【０１２２】
一方、アンケート調査管理装置３５が規定の時間が経過していないと判断した場合（ステップＳ４７ＮＯ）、参加者がタッチパネル３１に触れることにより回答が選択され、または参加者が図示しないキーボード等を用いて回答が入力されたか否かを判断する（ステップＳ４９）。アンケート調査管理装置３５は回答が入力されたと判断した場合（ステップＳ４９ＹＥＳ）、この回答内容を回答情報として参加者のＩＣタグ番号と組み合わせてデータベース５０に記憶させる（ステップＳ５０）。
【０１２３】
一方、アンケート調査管理装置３５は回答が入力されていないと判断した場合（ステップＳ４９ＹＥＳ）、ステップＳ４６に戻り、タッチパネル３１に質問を表示して回答を待つこととなる。
【０１２４】
また、ステップＳ５０の後、アンケート調査管理装置３５は、図１３（Ｂ）に示す「終了」ボタンに触れられたか否かを判断する（ステップＳ５１）。アンケート調査管理装置３５が終了ボタンに触れられたと判断すると（ステップＳ５１ＹＥＳ）、ステップＳ５３に進む。
【０１２５】
一方、アンケート調査管理装置３５が終了ボタンに触れられていないと判断すると（ステップＳ５１ＮＯ）、アンケート調査管理装置３５は、質問事項が全て終了したか否かを判断する（ステップＳ５２）。アンケート調査管理装置３５は、質問事項が全て終了したと判断した場合にも（ステップＳ５２ＹＥＳ）、ステップＳ５３に進む。
【０１２６】
一方、アンケート調査管理装置３５は、質問事項が全て終了していないと判断した場合には（ステップＳ５２ＮＯ）、ステップＳ４６に戻り、タッチパネル３１に質問を表示して回答を待つこととなる。
【０１２７】
ステップＳ５１ＹＥＳ、ステップＳ５２ＹＥＳの後、アンケート調査管理装置３５は、終了時刻を回答情報としてデータベース５０に記憶させ、図１３（Ｃ）に示すように、「回答ありがとうございました」の文言を表示した終了画面をタッチパネル３１に表示させて（ステップＳ５３）、一連の動作が終了する（エンド）。
【０１２８】
アンケート調査部門３０は、上述の一連の動作をアンケートの受付時間内に繰り返す。
【０１２９】
この結果、図１０（Ｂ）のアンケート情報に示すように、参加者毎にＩＣタグ番号と回答情報がデータベース５０に記憶される。なお、回答情報における問３以降の質問事項の回答は、質問事項の数だけ設けられる。
【０１３０】
参加者は、アンケートの回答が順次蓄積されていくため、複数回に分けて回答することができる。また、参加者が複数回に分けてアンケートに回答した場合に、回答情報には、開始時刻と終了時刻が複数組記録されることになる。
【０１３１】
なお、図１３（Ａ）に画面例を示すように、学会の参加者にアンケートの回答率を開示できるようになっていてもよい。
【０１３２】
次いで、アンケートの回答受付が終了した後にアンケート結果を集計する動作について、図１４を用いて説明する。
【０１３３】
なお、この動作は、アンケートの問１において業種を質問し、問２において職種を質問し、問３においてその他の事項を質問した場合の例である。
【０１３４】
アンケートの回答受付時間が終了して、動作が開始されると（スタート）、アンケート調査管理装置３５は、未処理のアンケート情報を一件取り出す（ステップＳ６１）。次いで、アンケート調査管理装置３５は、取り出したアンケート情報について、問１に回答しているか否かを判断する（ステップＳ６２）。
【０１３５】
問１に回答していると判断した場合（ステップＳ６２ＹＥＳ）、アンケート調査管理装置３５は、問１の回答が製造業であるか否かを判断する（ステップＳ６３）。問１の回答が製造業であると判断した場合（ステップＳ６３ＹＥＳ）、業種を製造業に設定し（ステップＳ６４）、ステップＳ６８に進む。
【０１３６】
一方、問１の回答が製造業でないと判断した場合（ステップＳ６３ＮＯ）、アンケート調査管理装置３５は、問１の回答がサービス業であるか否かを判断する（ステップＳ６５）。問１の回答がサービス業であると判断した場合（ステップＳ６５ＹＥＳ）、業種をサービス業に設定し（ステップＳ６６）、ステップＳ６８に進む。
【０１３７】
一方、問１の回答がサービス業でないと判断した場合（ステップＳ６５ＮＯ）、および、問１に回答していないと判断した場合（ステップＳ６２ＮＯ）、業種をその他に設定し（ステップＳ６７）、ステップＳ６８に進む。
【０１３８】
次いで、アンケート調査管理装置３５は、取り出したアンケート情報について、問２に回答しているか否かを判断する（ステップＳ６８）。問２に回答していると判断した場合（ステップＳ６８ＹＥＳ）、アンケート調査管理装置３５は、問２の回答が営業職であるか否かを判断する（ステップＳ６９）。問２の回答が営業職であると判断した場合（ステップＳ６９ＹＥＳ）、職種を営業職に設定し（ステップＳ７０）、ステップＳ７４に進む。
【０１３９】
一方、問２の回答が営業職でないと判断した場合（ステップＳ６９ＮＯ）、アンケート調査管理装置３５は、問２の回答が技術職であるか否かを判断する（ステップＳ７１）。問２の回答が技術職であると判断した場合（ステップＳ７１ＹＥＳ）、職種を技術職に設定し（ステップＳ７２）、ステップＳ７４に進む。
【０１４０】
一方、問２の回答が技術職でないと判断した場合（ステップＳ７１ＮＯ）、および、問２に回答していないと判断した場合（ステップＳ６８ＮＯ）、職種をその他に設定し（ステップＳ７３）、ステップＳ７４に進む。
【０１４１】
次いで、アンケート調査管理装置３５は、業種と職種の各組合せに対して問３の回答を組み合わせてデータベース５０に記憶させる（ステップＳ７４）。次いで、アンケート調査管理装置３５は、アンケート情報に含まれるＩＣタグ番号と同じＩＣタグ番号を有する投票情報を取り出し、取り出した投票情報に含まれる論文ＩＤと、問３の回答とを組み合わせてデータベース５０に記憶させる（ステップＳ７５）。
【０１４２】
次いで、アンケート調査管理装置３５は、全てのアンケート情報について処理を行ったか否かを判断する（ステップＳ７６）。全てのアンケート情報について処理を行ったと判断した場合には（ステップＳ７６ＹＥＳ）、一連の処理が終了する（エンド）。
【０１４３】
一方、全てのアンケート情報について処理を行っていないと判断した場合には（ステップＳ７６ＮＯ）、ステップＳ６１に戻り、アンケート調査管理装置３５は、未処理のアンケート情報についての集計を開始する。
【０１４４】
このようにして、業種と職業の組合せに対する問３の回答の情報がデータベース５０に蓄積される。学会の主催者は、蓄積されたアンケート集計結果を通常用いられる表計算ソフトウェア等に取り込み、計算し、各問の傾向を調べることができる。また、この結果をグラフなどで視覚化することができ、学会の主催者は、後日この蓄積されたアンケート集計結果を参加者に対して開示することができる。また、アンケートの開始時刻及び終了時刻をアンケート情報として記憶させておくことにより、学会の主催者は、アンケートの回答にかかる時間を把握できる。そのため、回答時間が長い場合には全体として回答数が少なくなる傾向があるため質問項目数を減らし、回答時間が短い場合には質問項目数を増やすなど、学会の主催者は、適切な数のアンケートを得られるよう、アンケートの質問項目について調整することが可能となる。
【０１４５】
また、論文ＩＤに対する問３の回答の情報がデータベース５０に蓄積される。そして、この論文ＩＤ毎のアンケート集計結果を論文情報の論文ＩＤに対応する執筆者に対し、アンケートの付加情報として提供することができる。アンケートの付加情報を提供された執筆者は、この情報を参考にして、今後の研究の方向等について検討することが可能となる。
【０１４６】
次いで、論文投票受付およびアンケート受付終了後にアンケート集計情報を作成して論文発表者に他の情報を提供する処理について、図１５を用いて説明する。
【０１４７】
動作が開始されると（スタート）、アンケート調査管理装置３５は、未処理の投票情報を取り出し（ステップＳ８１）、取り出した投票情報のＩＣタグ番号と同じＩＣタグ番号が含まれている参加者情報を取り出す（ステップＳ８２）。次いで、アンケート調査管理装置３５は、取り出した投票情報のＩＣタグ番号と同じＩＣタグ番号が含まれているアンケート情報を取り出す（ステップＳ８３）。次いで、アンケート調査管理装置３５は、投票情報の論文ＩＤとＩＣタグ番号を含む参加者情報とアンケート情報とを組み合わせてアンケート集計情報としてデータベース５０に記憶させる（ステップＳ８４）。次いで、アンケート調査管理装置３５は、この投票情報を処理した回数がこの論文ＩＤに対する投票総数に達したか否かを判断する（ステップＳ８５）。投票情報を処理した回数がこの論文ＩＤに対する投票総数に達しないと判断した場合（ステップＳ８５ＮＯ）、ステップＳ８１に戻り、未処理の投票情報について処理する。投票情報を処理した回数がこの論文ＩＤに対する投票総数に達したと判断した場合（ステップＳ８５ＹＥＳ）、一連の処理を終了する（エンド）。
【０１４８】
このようにして、投票情報の論文ＩＤと参加者情報とアンケート情報とを組み合わせた図１０（Ｃ）に示されるようなアンケート集計情報がデータベース５０に蓄積される。そして、投票情報の論文ＩＤと組み合わせられている参加者情報に含まれる連絡先の他、アンケート情報に含まれる情報を用いることにより、学会の主催者は、「どのような人が論文に興味を持ったのか」という事項を、論文情報の論文ＩＤに対応する執筆者に対し、投票およびアンケートの付加情報として提供することができる。
【０１４９】
このように、アンケート調査部門３０においては、通常の学会運営では得られない、アンケートに含まれる潜在的な情報をも取得することができ、学会の主催者、発表者、参加者に対して、有用な情報を提供することができる。
【０１５０】
（５）抽選管理
抽選管理部門４０について、図１０（Ｃ）（Ｄ）、図１６を参照して説明する。
【０１５１】
図１０（Ｃ）は上述の通りであり、図１０（Ｄ）は学会の抽選情報を示し、図１６は、抽選管理部門４０の構成を示す図である。
【０１５２】
ここでは、（４）で説明した学会のアンケートの必須項目に全て回答すると、抽選権限が得られることとする。
【０１５３】
この抽選管理部門４０が機能する前提として、上述したように、データベース５０に参加者全員の参加者情報が記憶されており、参加者はＩＣタグを携行している。また、抽選管理部門４０による処理を行う前に、データベース５０には、アンケート情報として、参加者の抽選権限が無いという情報が記憶されている。
【０１５４】
図１６に示すように、抽選管理部門４０は、ＩＣタグＲ／Ｗ４１と、出力部４２と、抽選管理装置４３と、からなる。ＩＣタグＲ／Ｗ４１は、抽選管理装置４３を介してデータベース５０と接続されるとともに、ＩＣタグＲ／Ｗ４１と出力部４２とが接続されている。ＩＣタグＲ／Ｗ４１は、本発明における参加者識別情報読取手段として機能し、抽選管理装置４３は、本発明における、発行手段および抽選処理手段として機能する。
【０１５５】
ＩＣタグＲ／Ｗ４１は、参加者が携行するＩＣタグを近づけ、または接触することにより、当該ＩＣタグから当該参加者のＩＣタグ番号等の情報を読み取る。また、ＩＣタグＲ／Ｗ４１は、参加者のＩＣタグ番号を読み取った後に抽選の処理が行われた場合に、図７（Ｂ）に示すように、抽選を済ませた旨の情報を当該ＩＣタグに書き込めるようになっていてもよい。
【０１５６】
出力部４２は、音声を発生するスピーカ等、または画面を表示するディスプレイ等である。出力部４２は、ＩＣタグＲ／Ｗ４１により抽選受付が完了した場合や、抽選を受け付けられない場合のその旨や抽選結果を音声または画面等により参加者に知らせる。出力部４２は、ＩＣタグＲ／Ｗ４１と接続され、ＩＣタグＲ／Ｗ４１の近くに設置することが好ましい。
【０１５７】
抽選管理装置４３は、ＩＣタグＲ／Ｗ４１および出力部４２の動作を監視し、これらとデータベース５０との間の情報の授受を媒介する。
【０１５８】
抽選管理装置４３は、図１０（Ｂ）に示すアンケート情報をデータベース５０から参照し、必須項目に全て回答されているアンケート情報を取り出し、当該アンケート情報に含まれるＩＣタグ番号に対応する参加者に抽選の権利を発行し、データベース５０に参加者情報またはアンケート情報として抽選の権利（抽選権限）を有することを記憶させる。
【０１５９】
また、抽選管理装置４３は、ＩＣタグＲ／Ｗ４１がＩＣタグ番号を読み取った場合に、参加者情報として抽選の権利を有する参加者に対し抽選結果を出力部４２を用いて出力する。
【０１６０】
抽選管理装置４３は、抽選管理部門４０にエラーが発生したときにそれを検知し、システムＳの管理者に指示を仰ぐようになっていてもよい。また、抽選管理装置４３は、抽選結果をデータベース５０に記憶できるようになっていてもよい。
【０１６１】
上述のように、抽選管理装置４３は、アンケート情報を参照して、抽選の権利（抽選権限）が有る場合には、順次抽選の権利を発行し、アンケート情報または参加者情報として抽選の権利（抽選権限）が有ることをデータベース５０に記憶させる。
【０１６２】
次いで、抽選管理部門４０において学会の参加者が抽選を行う動作について説明する。
【０１６３】
参加者がＩＣタグＲ／Ｗ４１にＩＣタグを近づけ、または接触させることにより、ＩＣタグＲ／Ｗ４１がＩＣタグを検知した場合、抽選管理装置４３は、データベース５０に対し、当該ＩＣタグに対応する参加者がこの○×学会において抽選する権限を有しているか否か問い合わせる（アンケート情報または参加者情報に含まれるＩＣタグ番号抽選権限の有無を検出する）。抽選管理装置４３は、データベース５０に問い合わせた結果、この参加者が○×学会において抽選する権限を有していると判断した場合、データベース５０に、図１０（Ｄ）の抽選情報に示すように、当該参加者が抽選した時刻を記憶し、抽選を行う。その後、抽選管理装置４３は、抽選結果を出力部４２に表示させ、データベース５０の抽選情報に抽選結果を記憶する。
【０１６４】
一方、抽選管理装置４３は、データベース５０に問い合わせた結果、この参加者が○×学会において抽選する権限を有していないと判断した場合、抽選を開始せず、抽選権限を有していない旨を、出力部４２を用いて当該参加者に伝える。そして、ＩＣタグＲ／Ｗ４１がＩＣタグを検知するまで、抽選管理装置４３は待ち受け状態に戻る。
【０１６５】
抽選管理部門４０は、上述の一連の動作を抽選の受付時間内に繰り返す。
【０１６６】
これより、図１０（Ｄ）に示すような学会の抽選情報がデータベース５０に記憶される。抽選情報としては、ＩＣタグＲ／Ｗ４１により検知したＩＣタグのＩＣタグ番号、当該検知した時刻を示す抽選時刻、当該検知したＩＣタグＲ／Ｗ４１のＩＰアドレス、抽選結果である「景品Ｂ」等が記憶される。
【０１６７】
抽選管理部門４０においてＩＣタグを用いることにより、容易に抽選の権限を発生させ、抽選結果を得ることができる。
【０１６８】
この抽選により参加者に景品等が当選した場合には、その場で景品等を受け渡せるようになっていてもよいし、後日、参加者情報に含まれる連絡先まで景品等を送り届けるようになっていてもよい。
【０１６９】
なお、上述の動作では、本発明における発行手段は、抽選管理装置４３であったが、上述のアンケート調査部門３０におけるアンケート調査管理装置３５が発行手段の機能を有していてもよい。
【０１７０】
（６）その他
本発明における学術団体の研究集会は、いわゆる学会と呼ばれる研究内容の発表会であれば特に限定されず、特に論文や発表内容に対する投票が行われる学会が挙げられる。論文の投票に関しては、ポスター発表に対する投票、口頭発表に対する投票、いずれも問わない。
【０１７１】
本発明における参加者識別情報記憶手段として、ＩＣタグを用いて説明したが、これに限定されず、ＩＣカード、バーコード等を用いることができる。バーコードを用いる場合、参加者識別情報に対応するバーコードを参加証に印刷しておくことになる。
【０１７２】
実施形態の学会運営支援システムＳにおいて、各部門は別々に分かれており、それぞれの機能を別個に説明したが、共通の端末が複数の部門における機能を有しており、当該共通の端末において、上述の各部門における各処理を行えるようになっていてもよい。この場合、学会の参加者や学会の主催者がどのような処理を行うのか、切り替えることが可能になっていてもよい。
【０１７３】
また、本発明における参加者識別情報読取手段として、上述の参加者識別情報記憶手段であるＩＣタグに応じてＩＣタグＲ／Ｗを用いて説明したが、参加者識別情報読取手段は、参加者識別情報記憶手段に応じて、情報を読み取ることができる装置や部材に適宜変更される。
【０１７４】
本発明における学会情報記憶手段としてのデータベース５０は一つであるとして説明したが、データベース５０が複数個に分散されて、論文投票管理装置１５、受付管理装置２３、アンケート調査管理装置３５または抽選管理装置４３は、各データベースから情報を取り込めるようになっていてもよい。
【０１７５】
また、論文投票部門１０およびアンケート調査部門３０において、参加者が論文投票やアンケートの回答を行うためのインターフェイスとしてタッチパネル１１、３１を用いたが、これに限定されず、表示装置とキーボードやマウス等の入力装置が用いられてもよい。
【０１７６】
論文投票部門１０において、論文投票管理装置１５が、本発明の投票処理手段、第一集計手段、関連投票情報排除手段および第二集計手段として機能し、論文投票における投票の受付や投票の集計を行うこととしたが、これに限定されず、他の部材、例えばＰＣ１２等がこれらの各手段として機能してもよい。
【０１７７】
アンケート調査部門３０において、アンケート調査管理装置３５が、本発明のアンケート処理手段、第三集計手段として機能し、アンケートの受付や集計を行うこととしたが、これに限定されず、他の部材、例えばＰＣ３２等がこれらの各手段として機能してもよい。
【０１７８】
本発明の学会運用システムは、上述の実施形態の範囲に限定されず、特許請求の範囲に記載の範囲内で適宜変更可能である。
【０１７９】
また、学会運営支援システムＳの図３、図５、図６、図１２、図１４または図１５に示すフローチャートまたは他の各動作に対応するプログラムをフレキシブルディスク又はハードディスク等の情報記録媒体に記録しておき、或いはインターネット等のネットワークを介して取得して記録しておき、これをマイクロコンピュータ等により読み出して実行することにより、当該マイクロコンピュータを各実施形態に係る論文投票管理装置１５、受付管理装置２３、アンケート調査管理装置３５または抽選管理装置４３として機能させることも可能である。
【図面の簡単な説明】
【０１８０】
【図１】本発明の学会運営支援システム全体の概要を示す図である。
【図２】論文投票部門の構成を示す図である。
【図３】論文投票部門において参加者が論文を投票する際のフローチャートである。
【図４】図３において参加者が論文を投票する際の表示画面例を示す図である。
【図５】論文投票終了後の投票を集計する際のフローチャートである。
【図６】論文投票後に論文発表者に提供する他の情報を作成する際のフローチャートである。
【図７】データベースや参加者が有するＩＣタグに記憶される情報の例を示す。
【図８】データベースに記憶される論文投票の情報の例を示す。
【図９】入場受付部門の構成等を示す図である。
【図１０】データベースに記憶される種々の情報の例を示す。
【図１１】アンケート調査部門の構成を示す図である。
【図１２】アンケート調査部門において参加者がアンケートに回答する際のフローチャートである。
【図１３】図１２において参加者がアンケートに回答する際の表示画面例を示す図である。
【図１４】通常のアンケートを集計する際のフローチャートである。
【図１５】アンケート回答終了後に論文発表者に提供する他の情報を作成する際のフローチャートである。
【図１６】抽選管理部門の構成を示す図である。
【符号の説明】
【０１８１】
１０  論文投票部門
１１、３１  タッチパネル
１２、３２  パーソナルコンピュータ
１３、２１、３３、４１  ＩＣタグＲ／Ｗ
１５  論文投票管理装置
２０  入場受付部門
２２、４２  出力部
２３  受付管理装置
３０  アンケート調査部門
３５  アンケート調査管理装置
４０  抽選管理部門
４３  抽選管理装置
５０  データベース
６１  ＩＣタグ
Ｓ  学会運営支援システム
【図１】
2006178806.tif 000003
【図２】
2006178806.tif 000004
【図３】
2006178806.tif 000005
【図４】
2006178806.tif 000006
【図５】
2006178806.tif 000007
【図６】
2006178806.tif 000008
【図７】
2006178806.tif 000009
【図８】
2006178806.tif 000010
【図９】
2006178806.tif 000011
【図１０】
2006178806.tif 000012
【図１１】
2006178806.tif 000013
【図１２】
2006178806.tif 000014
【図１３】
2006178806.tif 000015
【図１４】
2006178806.tif 000016
【図１５】
2006178806.tif 000017
【図１６】
2006178806.tif 000018